(57)【特許請求の範囲】
【請求項１】
二極給電開閉器に備わる各接触の投入、遮断の操作を、回転レバーを一方向へ回すことにより、同時にできるようにした二極給電開閉器であって、
外ケース(1)と、
蓋体(21)を備え、前記外ケースに収容されている内ケース(2)と、
該内ケース内に設けられている固定接触(3,3a)と、
弾性力によって前記固定接触から離れる方向に付勢されており、前記固定接触に対して移動して接点を開閉する可動接触(4,4a)と、
前記蓋体に回転可能に取り付けられている回転レバー(5)と、
該回転レバーと前記可動接触の間に配置され、前記回転レバーの回転に追従して前記可動接触の開閉動作を行うシフター(6)と、
を備え、
前記蓋体は、
前記回転レバー側の面に立設されている軸筒(211)を有し、
該軸筒の内部側は、前記シフターが上下方向に一定の範囲でスライド可能な状態で前記回転レバーの軸管(53)と共に収容される、上下方向に貫通した収容孔(214)となっており、
前記回転レバーは、前記蓋体側の面に、
前記蓋体の軸筒に摺動回転可能に外嵌めされる円筒状の嵌合筒(51)と、
該嵌合筒の内側に、嵌合筒と中心を同じくし、嵌合筒より径小で高さが低く形成され、
前記蓋体の軸筒に摺動回転可能に内嵌めされる円柱形の挿入体(52)と、
該挿入体の下面中心部に突出して設けられている前記軸管と、
該軸管の外周面に沿って平面視で円弧状に突出して設けられている一方の当接部(55)と、
前記挿入体(52)の蓋体側の面の外周縁に平面視で円弧状に突出して設けられている他方の当接部(56)と、
を有し、
前記一方の当接部と他方の当接部は、前記軸管を挟んで相対向する位置にあり、
前記シフターは、
前記回転レバー側の面に平面視円形状に設けられており、前記一方の当接部に対応する内カム(61)と、該内カムの外側に位置して平面視円形状に設けられており、前記他方の当接部に対応する外カム(62)と、を備える円筒形状のシフター本体(60)と、
該シフター本体の外周部に突出しており、前記可動接触を押して前記固定接触と接触させることにより二極を同時に投入状態とする押圧部（63,64）と、
を有し、
前記内カム及び外カムは、相対向する位置にそれぞれ、低いカム位置(610,620）、高いカム面(612,622)及び前記低いカム位置と高いカム面の間に設けられている傾斜カム面(611,621)、を有し、
前記高いカム面は，前記低いカム位置側の端部で途切れて低いカム位置との間で段差が形成されており、
前記回転レバーの回転により、前記各当接部が前記各段差により高いカム面から離れ相対向する位置にある前記内カムの低いカム位置と前記外カムの低いカム位置に来たとき、前記可動接触は固定接触と離れて、二極同時に遮断状態となる、
二極給電開閉器。
【請求項２】
請求項１記載の二極給電開閉器を備えている電力量計。
【発明の詳細な説明】
【技術分野】
【０００１】
本発明は、二極給電開閉器に関するものである。更に詳しくは、電力量計に使用され、電力供給の停止及び停止解除を行うことができる開閉器であって、遮断時の手動操作の速度に影響を受けず、安定した遮断速度で瞬時に遮断することができる二極給電開閉器に関する。
【背景技術】
【０００２】
一般家庭などにおいて使用した電力を積算し計量する電力量計には、停止停解開閉器が付加されている場合がある。停止停解開閉器は、例えば引っ越しや料金滞納住宅など、電力供給の停止及び停止解除が必要になったときに操作される。
【０００３】
電力供給の停止及び停止解除を行うことができる開閉器としては、例えば特許文献１に記載の開閉器がある。
この開閉器は、中心のシャフト軸によってケースとカバーが一体化しており、電力供給の停止及び停止解除の操作は、カバーを摺動させて引き出し、さらに回転させて回転位置を給電または停電の各位置に合わせ、再度押し込むことによって行う構造であり、１極対応のものである。
【０００４】
【特許文献１】特開２００６−４０７７６
【発明の開示】
【発明が解決しようとする課題】
【０００５】
特許文献１に記載の開閉器は、前記のようにカバーを操作することによって電力供給の停止、停止解除の操作を行うものである。すなわち、（１）カバーを摺動させて引き出し、（２）回転させて回転位置を給電または停電の各位置に合わせ、（３）再度押し込んで装着する、という３ステップの操作となる。
【０００６】
このため、電力供給の停止、停止解除の操作を素早く行うことが難しい。しかも、前記操作における手動によるカバーの引き出しや押し込みの速度が、接触の投入、遮断の速度に直接影響し、特に遮断操作をする場合において瞬時に遮断を行うことができないので、負荷電流が流れている状態では適正な遮断能力が得にくい課題があった。
【０００７】
また、この開閉器は、前記のように１極（１相）対応のものである。このため、例えば電力供給の停止、停止解除のために、２極（２相）の投入、遮断を行う場合には、二つの開閉器を使用して各極に接続し、操作もそれぞれの開閉器について行わなければならない。しかも、２極を同時に操作することが難しく、どうしても時間差が生じるため、例えば三相モーター等の動力回路の負荷電流が流れている状態では、１極遮断すると欠相状態となって電圧不平衡となり過電流が流れるおそれがあり、適正な遮断能力が得にくかった。
【０００８】
そこで、本発明の目的は、電力量計に使用され、電力供給の停止及び停止解除を行うことができる開閉器において、操作性に優れ、特に遮断時の手動操作の速度に影響を受けず、安定した遮断速度で瞬時に遮断することができ、好適な遮断能力が得られる二極給電開閉器を提供することである。
また、本発明の他の目的は、前記目的に加えて、電力量計の２極を同時に投入、遮断操作することが可能であり、容易かつ迅速な作業ができる二極給電開閉器を提供することである。
【課題を解決するための手段】
【０００９】
前記課題を解決するために本発明が講じた手段は次のとおりである。
本発明は、
二極給電開閉器に備わる各接触の投入、遮断の操作を、回転レバーを一方向へ回すことにより、同時にできるようにした二極給電開閉器であって、
外ケースと、
蓋体を備え、前記外ケースに収容されている内ケースと、
該内ケース内に設けられている固定接触と、
弾性力によって前記固定接触から離れる方向に付勢されており、前記固定接触に対して移動して接点を開閉する可動接触と、
前記蓋体に回転可能に取り付けられている回転レバーと、
該回転レバーと前記可動接触の間に配置され、前記回転レバーの回転に追従して前記可動接触の開閉動作を行うシフターと、
を備え、
前記蓋体は、
前記回転レバー側の面に立設されている軸筒を有し、
該軸筒の内部側は、前記シフターが上下方向に一定の範囲でスライド可能な状態で前記回転レバーの軸管と共に収容される、上下方向に貫通した収容孔となっており、
前記回転レバーは、前記蓋体側の面に、
前記蓋体の軸筒に摺動回転可能に外嵌めされる円筒状の嵌合筒と、
該嵌合筒の内側に、嵌合筒と中心を同じくし、嵌合筒より径小で高さが低く形成され、
前記蓋体の軸筒に摺動回転可能に内嵌めされる円柱形の挿入体と、
該挿入体の下面中心部に突出して設けられている前記軸管と、
該軸管の外周面に沿って平面視で円弧状に突出して設けられている一方の当接部と、
前記挿入体の蓋体側の面の外周縁に平面視で円弧状に突出して設けられている他方の当接部と、
を有し、
前記一方の当接部と他方の当接部は、前記軸管を挟んで相対向する位置にあり、
前記シフターは、
前記回転レバー側の面に平面視円形状に設けられており、前記一方の当接部に対応する内カムと、該内カムの外側に位置して平面視円形状に設けられており、前記他方の当接部に対応する外カムと、を備える円筒形状のシフター本体と、
該シフター本体の外周部に突出しており、前記可動接触を押して前記固定接触と接触させることにより二極を同時に投入状態とする押圧部と、
を有し、
前記内カム及び外カムは、相対向する位置にそれぞれ、低いカム位置、高いカム面及び前記低いカム位置と高いカム面の間に設けられている傾斜カム面、を有し、
前記高いカム面は，前記低いカム位置側の端部で途切れて低いカム位置との間で段差が形成されており、
前記回転レバーの回転により、前記各当接部が前記各段差により高いカム面から離れ相対向する位置にある前記内カムの低いカム位置と前記外カムの低いカム位置に来たとき、前記可動接触は固定接触と離れて、二極同時に遮断状態となる、
二極給電開閉器である。
【００１０】
(削除)
【００１１】
本発明は、
第１の発明に係る二極給電開閉器を備えている、電力量計である。
【００１２】
（作用）
本発明に係る二極給電開閉器の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を前記各部に限定するものではない。
【００１３】
二極給電開閉器(S)の固定接触(3,3a)と可動接触(4,4a)が投入されている状態から各接触を遮断する際には、回転レバー(5)を手動にて所定の方向に回す。回転レバー(5)が所定の角度回ったところで、接触作動体(6)に設けられている、固定接触(3,3a)から可動接触(4,4a)を瞬時に切り離す手段(61,610,62,620)が作用する。これにより、可動接触(4,4a)は固定接触(3,3a)から離れる方向へ直線的または略直線的に瞬時に移動して遮断され、給電は停止される。このときの遮断方向への可動接触(4,4a)の動きは、回転レバー(5)を操作する速度に影響を受けず、常に安定して作動する。
【００１４】
固定接触(3,3a)と可動接触(4,4a)が遮断されている状態から各接触を投入する際には、回転レバー(5)を手動にて前記遮断の際と同じ方向に回す。回転レバー(5)の回転方向の動きは、接触作動体(6)を介して、固定接触(3,3a)に対して直線的または略直線的な方向への動きとして可動接触(4,4a)に伝えられる。これにより、可動接触(4,4a)は固定接触(3,3a)方向へ動き、 回転レバー(5)が所定の角度回ったところで固定接触(3,3a)に接触し、各接触は投入状態となり、給電が行われる。
【００１５】
固定接触(3,3a)と可動接触(4,4a)の組み合わせを二以上有し、二以上の可動接触(4,4a)が、接触作動体(6)によって同時に固定接触(3,3a)側に移動し、同時に固定接触(3,3a)から離れるようにしたものは、電力量計の２極以上を同時に投入、遮断操作することが可能である。
【発明の効果】
【００１６】
（ａ）本発明は、電力量計に使用され、電力供給の停止及び停止解除を行うことができる開閉器において、操作性に優れるとともに、特に遮断時の手動操作の速度に影響を受けず、安定した遮断速度で瞬時に遮断することができ、好適な遮断能力が得られる二極給電開閉器を提供することができる。
（ｂ）本発明は、電力量計の２極を同時に投入、遮断操作することが可能であり、容易かつ迅速な作業ができる二極給電開閉器を提供することができる。
【発明を実施するための最良の形態】
【００１７】
本発明を図に示した実施例に基づき詳細に説明する。なお、以下の説明で方向や位置を表す「上下、左右」の用語は、図３、図４を基準とする。
【実施例】
【００１８】
図１は本発明に係る二極給電開閉器の一実施の形態を示す斜視図、
図２は図１に示す二極給電開閉器の平面図、
図３は図２におけるＡ−Ａ断面図、
図４は図２におけるＢ−Ｂ断面図、
図５は回転レバーを下面側からみた斜視図、
図６はシフターを上面側からみた斜視図、
図７は可動接触とシフター及び回転レバーの各当接部の位置関係を示す説明図である。
【００１９】
二極給電開閉器Ｓは、外ケース１、外ケース１にスライド可能に収容される内ケース２、内ケース２に設けられている固定接触３、３ａ及び可動接触４、４ａ、内ケース２の上部に回転可能に取り付けられている回転レバー５、回転レバー５と可動接触４、４ａの間に設けられている接触作動体であるシフター６を備えている。以下、これら各部について詳細に説明する。
【００２０】
（外ケース１）
外ケース１は、上部側の全体が四角形状に開口している。外ケース１の下部側には、後述する内ケース２の四本のケーブル挿通管２２通る挿通口１１が四箇所に設けられている。また、挿通口１１を形成するリブ１２の内面側には、後述する固定用ネジ７１を螺合する雌ネジ部１３が設けられている。この固定用ネジ７１は、外ケース１と内ケース２を固定するためのものである。
【００２１】
（内ケース２）
内ケース２は、内ケース本体２０と蓋体２１を備えている。内ケース本体２０は、外ケース１に内嵌めされ、上下方向へスライド可能であり、ストッパー（符号省略）によって、上方へ外れることはない。
内ケース本体２０の下部側には、四本のケーブル挿通管２２が軸線方向を上下方向へ向けて設けられている。各ケーブル挿通管２２で囲まれた中心部には、上下方向へネジ挿通管２４が設けられている。ネジ挿通管２４については、後述する。各ケーブル挿通管２２の上部側には、ケーブルを固定するためのホルダー部２３が設けられている。
【００２２】
左側の二組のホルダー部２３の左側壁には、留めネジ２３０が外側から内側方向へ螺合されている。留めネジ２３０は、所要の間隔で上下二箇所に設けられている。留めネジ２３０は、ヘッド部に六角穴を設けたものであり、締め付けることによってケーブルの導体に接触して通電が可能になる。また、内ケース本体２０の左側壁には、留めネジ２３０の回し操作を行うための穴状の窓部２００が奥行き方向の二箇所に並設されている。
【００２３】
（固定接触３、３ａ）
また、固定接触３、３ａ側のホルダー部２３の右側壁には、板状の固定接触３、３ａが固定されている。固定接触３は、図４において固定接触３ａの手前側に並設されている(図７参照)。固定接触３、３ａは、それぞれＬ字状に形成されており、上下方向に向けた縦部３０をホルダー部２３に固定して取り付けてある。固定接触３、３ａの横部３１は、曲げられて左右方向（水平方向）に向けられており、その先端寄りには接点３２が設けられている。
【００２４】
（可動接触４、４ａ）
右側の二組のホルダー部２３の右側壁の上下二箇所に留めネジ２３１によってネジ留めされている。留めネジ２３１を締め付けることによってケーブルの導体が導電部に接触して通電が可能になる。また、内ケース本体２０の右側壁には、留めネジ２３１の回し操作を行うための穴状の窓部２０１が奥行き方向の二箇所に並設されている。
【００２５】
また、可動接触４、４ａ側のホルダー部２３の左側壁には、板状の可動接触台部４３、４３ａが固定されている。可動接触台部４３は、図４において可動接触台部４３ａの手前側に並設されている。可動接触台部４３、４３ａは、それぞれＬ字状に形成されており、上下方向に向けた縦部４３０をホルダー部２３に固定して取り付けてある。可動接触台部４３、４３ａの横部４３１は、曲げられて左右方向（水平方向）に向けられており、その先端寄りには可動接触４、４ａの基部が固着されている。
【００２６】
可動接触４、４ａは、可動接触台部４３、４３ａの横部４３１から前記固定接触３、３ａの横部３１の上方へ向け斜めに傾斜して設けられている。可動接触４は、図４において可動接触４ａの手前側に並設されている（図７参照）。可動接触４、４ａの先部側は水平に曲げられており、その先端寄りには前記固定接触３、３ａの各接点３２と接触することができる接点４２が設けられている。また、可動接触４、４ａは、その長手方向の中間部が、下方からコイルバネ４０によって付勢力をもって支えられている。各コイルバネ４０は、前記ネジ挿通管２４の図３において奥行き方向の両側に設けられたバネ座２５（図４参照）に取り付けられている。
【００２７】
前記したように、固定接触３、３ａと可動接触４、４ａは、固定接触３と可動接触４及び固定接触３ａと可動接触４ａをそれぞれ１組として計２組（２極）が設けられている。そして、固定接触３、３ａには、電源側ケーブル８１がケーブル挿通管２２に通されてホルダー部２３で接続され、可動接触４、４ａには、負荷側ケーブル８２がケーブル挿通管２２に通されてホルダー部２３で接続される。
【００２８】
（内ケース２）
内ケース本体２０の下部側の二箇所（左右側の各ケーブル挿通管２２の間）には、固定用ネジ７２、７３を通すためのネジ挿通孔２６が上下方向に設けられている。各ネジ挿通孔２６には、下側から固定用ネジ７２、７３が通されて、固定用ネジ７２、７３の先端部は、後述する蓋体２１のネジ孔２１０に螺着される。これにより、内ケース本体２０と蓋体２１は固着される。
【００２９】
また、内ケース本体２０のほぼ中心部に設けられている前記ネジ挿通管２４は、下部の径大部２４１と上部の径小部２４２で構成されている。径大部２４１の内部には、コイルバネ２４３が収容されている。コイルバネ２４３は、径大部２４１上端の段部（符号省略）で止まるようになっている。
【００３０】
ネジ挿通管２４には、径大部２４１側から固定用ネジ７４がコイルバネ２４３と径小部２４２を貫通して通される。固定用ネジ７４の先端部は、後述する回転レバー５の雌ネジ具５４に螺着される。なお、コイルバネ２４３は、固定用ネジ７４の径大のヘッド部に掛かって圧縮されている。コイルバネ２４３の付勢力により、回転レバー５は常に下方へ付勢されている。
【００３１】
蓋体２１は、内ケース本体２０の上部開口部に被せられて取り付けられる。蓋体２１の下面側には、前記内ケース本体２０の各ネジ挿通孔２６に対応して二箇所にネジ孔２１０が設けられている。前記したように、蓋体２１は二本の固定用ネジ７２、７３によって内ケース本体２０に固着される。
【００３２】
蓋体２１の上面側のほぼ中央部には、低い円筒状の軸筒２１１が立ち上げて設けられている。軸筒２１１の外周部に設けられた段部には、Ｏリング２１２が装着されるようになっており、後述する回転レバー５の嵌合筒５１との間に液密性を付与できるようにしている。軸筒２１１の基端の外側には、円形の溝２１３が設けられている。溝２１３には、嵌合筒５１の下端部が入り、回転を案内する。
【００３３】
蓋体２１の前記軸筒２１１の内部側には、上下方向に貫通した収容孔２１４が設けられている。収容孔２１４には、後述するシフター６が、後述する回転レバー５の軸管５３と共に収容される。なお、この状態で、シフター６は上下方向に一定の範囲でスライド可能である。
【００３４】
（回転レバー５）
回転レバー５の下面側のほぼ中央部には、円筒状の嵌合筒５１が設けられている。嵌合筒５１は、前記蓋体２１の軸筒２１１に摺動回転可能に外嵌めされる。
嵌合筒５１の内側には、嵌合筒５１と中心を同じくして、より径小の円柱形の挿入体５２がやや突出して設けられている。挿入体５２の高さは、前記嵌合筒５１よりやや低く形成されている。また、挿入体５２は、前記蓋体２１の軸筒２１１に摺動回転可能に内嵌めされる。
【００３５】
挿入体５２の中心部には、軸管５３が挿入体５２の下面からさらに突出して設けられている。軸管５３の先端は、回転レバー５の下面縁よりやや突出している。軸管５３の中心部には、雌ネジ具５４が固着されている。
なお、回転レバー５の一つの隅部には、雌ネジ具５０が設けられている。雌ネジ具５０は、回転操作ロック（施錠）のために使用されるものであり、内部にロックボルト（公知の一般的なものであるため図示省略）が螺合されている。また、回転レバー５の長辺側で雌ネジ具５０と隣り合う隅部には、凹部５７が設けられている。  
【００３６】
前記ロックボルトは、ロック用ねじ孔に螺着される雄ねじの螺設されたボルト本体と、ボルト本体の基端側に同心で一体形成された円形の頭部とからなっている。頭部は、外径寸法が雌ネジ具５０のネジ孔の孔径寸法より僅かに小さく設定され、これによってボルト本体がネジ孔に螺着された状態で、頭部がロック用挿通孔に嵌り込むようになっている。これにより、回転レバー５は抜け止め（すなわちロック）される。
【００３７】
また、頭部の表面側には、軸心を中心とする楕円孔が凹設されているとともに、楕円孔の中心位置には、孔底から外方に向けて突設された針状突起が設けられている。この楕円孔に専用工具の先端部が挿入された状態で専用工具が回動操作されることにより、ロックボルトが雌ネジ具５０のネジ孔に対して挿脱されるようになっている。
【００３８】
専用工具は、円柱状のグリップと、グリップの先端から同心で突設されたグリップより小径の軸部と、軸部の先端から同心でさらに突設された係合突起とを備えて構成されている。係合突起は、ロックボルトの頭部の楕円孔に対応して正面視で楕円形に形状設定され、中心位置に針状突起に対応した受容孔が凹設されている。
【００３９】
二極給電開閉器Ｓに対しロックボルトの着脱操作を行うに際しては、受容孔を針状突起に外嵌させるようにして係合突起を楕円孔に嵌め込み、グリップを把持して軸心回りに回動操作すればよい。これによってロックボルトはボルト心回りに正逆回動し、ボルト挿通孔に対して着脱することができる。
【００４０】
このように、ロックボルトは、特殊な専用工具を用いなければ締弛操作をすることができないため、汎用のドライバーやレンチ等の一般的な工具によっては操作することができず、したがって、スイッチがみだりに投入または開放操作されることを有効に防止することができる。
【００４１】
前記挿入体５２の下面には、二箇所に当接部５５、５６が突出して形成されている。一方の当接部５５は、軸管５３の外周面に沿うように突出して平面視で円弧状に設けられている。他方の当接部５６は、挿入体５２の下面の外周縁に突出して平面視で円弧状に設けられている。当接部５５、５６は、軸管５３の軸周方向において１８０°を成し、軸管５３を挟んで相対向する位置に設けられている。当接部５５は、後述するシフター６の内カム６１に対応し、当接部５６は外カム６２に対応している。
【００４２】
回転レバー５は、前記したように内ケース本体２０のネジ挿通管２４に通された固定用ネジ７４とコイルバネ２４３の付勢力によって、常に下方へ付勢された状態で取り付けられている。回転レバー５は、この状態で固定用ネジ７４を中心として水平方向に回転可能である。なお、回転レバー５の当接部５５、５６と前記可動接触４、４ａの間には、シフター６が介在させてある（図７参照）。
【００４３】
（シフター６）
シフター６は、概ね円筒形状のシフター本体６０を有している。シフター本体６０の上面側には、内カム６１と外カム６２が平面視円形状に設けられている。
内カム６１は、最も低いカム位置６１０と、カム位置６１０から上り傾斜したカム面６１１及び最も高いカム面６１２で形成されている。カム面６１２は水平面で、ほぼ全長にわたり同じ高さに形成されている。なお、カム面６１２のカム位置６１０側端部は途切れており、大きな段差が設けられている。
【００４４】
また、外カム６２は、最も低いカム位置６２０を備えている。カム位置６２０は、前記カム位置６１０と軸周方向に１８０°ずれて相対向する位置に設けられている。
外カム６２は、最も低いカム位置６２０と、カム位置６２０から上り傾斜したカム面６２１及び最も高いカム面６２２で形成されている。カム面６２２は水平面で、ほぼ全長にわたり同じ高さに形成されている。
なお、カム面６２２のカム位置６２０側端部は途切れており、大きな段差が設けられている。カム位置６１０、６２０は、固定接触３、３ａから可動接触４、４ａを瞬時に切り離す遮断手段を構成する。
【００４５】
シフター本体６０の外周部には、可動接触４、４ａの上面（コイルバネ４０の位置に対応する部分）に当たる押圧部６３、６４が下方へやや突出して設けられている。押圧部６３、６４の位置は、前記カム位置６１０、６２０に合わせてある。
なお、一方の押圧部６３の側部には、全高にわたりストッパー溝６３０が設けられている。ストッパー溝６３０には、蓋体２１の収容孔２１４に設けられているストッパー（図では見えない）が入って係合することにより、シフター本体６０が軸周方向へ回らないようになっている。さらに、この構造は取り付け方向の誤りを防止する機能を持つ。
【００４６】
また、前記二系統の内カム６１と外カム６２は、同様のカム面が軸周方向に１８０°ずれて相対向する位置に設けられており、カム面に当たる前記回転レバー５の当接部５５、５６が同じく１８０°ずれて相対向位置に設けられていることと相まって、シフター６が上下動する際の安定を図っている。
【００４７】
（作用）
図８は二極給電開閉器の回転レバーが０°回転位置の各部の動きを示す説明図であり、（ａ）は平面図、（ｂ）は（ａ）におけるＡ−Ａ断面図、（ｃ）はＢ−Ｂ断面図、
図９は二極給電開閉器の回転レバーが９０°回転位置の各部の動きを示す説明図であり、（ａ）は平面図、（ｂ）は（ａ）におけるＡ−Ａ断面図、（ｃ）はＢ−Ｂ断面図、
図１０は二極給電開閉器の回転レバーが１８０°回転位置の各部の動きを示す説明図であり、（ａ）は平面図、（ｂ）は（ａ）におけるＡ−Ａ断面図、（ｃ）はＢ−Ｂ断面図、
図１１は二極給電開閉器の回転レバーが３３０°回転位置の各部の動きを示す説明図であり、（ａ）は平面図、（ｂ）は（ａ）におけるＡ−Ａ断面図、（ｃ）はＢ−Ｂ断面図、
図１２は二極給電開閉器を組み込んだ電力量計の説明図、
図１３は二極給電開閉器に対する雨線外カバーの取付状態を示し、（ａ）は要部側面視説明図、（ｂ）は要部正面視説明図である。
【００４８】
図１ないし図１３を参照し、二極給電開閉器Ｓの作用を説明する。
二極給電開閉器Ｓは、図１２に示すように、電力量計Ｗ１から取り出された２極の電源側ケーブル８１を固定接触３、３ａ側の各ホルダー部２３に接続し、需要家９３へつながる２極の負荷側ケーブル８２を可動接触４、４ａ側の各ホルダー部２３に接続して組み込まれる。
符号９１は配電線、９２は電力量計Ｗ１へつながる引き込み線である。なお、この組み込み作業は、固定接触３、３ａと可動接触４、４ａを遮断した状態で行われる。
【００４９】
（１）回転角０°（ＯＦＦ：図７、図８参照）
可動接触４、４ａは、可動接触４、４ａ自身の弾性力及びコイルバネ４０による反発力によって固定接触３、３ａと離れており、遮断状態（ＯＦＦ状態）である。回転レバー５の当接部５５、５６は、シフター６のカム位置６１０、６２０に位置している（図７参照）。この状態からは、回転角３０°まで、左回りに回転（−３０°）させることができる。なお、安全上、逆回しでの投入を阻止するため、蓋体２１の円周上に設けた突起部（図示省略）が回転レバー５のストッパ（図示省略）に当たることでそれ以上は回せないようになっている。
【００５０】
前記回転位置で、回転レバー５の凹部５７から、外ケース１と内ケース２を固定している固定用ネジ７１のヘッド部が露出するようになっており、固定用ネジ７１の回し操作ができる。これにより、外ケース１と内ケース２の固定及び固定解除が可能であり、固定解除後に内ケース２の穴２００、２０１と各留めネジ２３０、２３１を露出させてケーブル８１、８２の接続作業などが可能になる。
【００５１】
（２）回転角９０°（ＯＦＦ→ＯＮ：図９参照）
需要家９３に給電を行うには、二極給電開閉器Ｓを次のように操作する。
回転レバー５を図７、図８（ａ）において右回り方向へ回すと、当接部５５、５６がシフター６の上り傾斜したカム面６１１、６２１に沿って動く。カム面６１１、６２１は当接部５５、５６で押されるので、シフター６が徐々に可動接触４、４ａ側へ押される。可動接触４、４ａはシフター６の押圧部６３、６４によって押されて、回転レバーが９０°回ったところで固定接触３、３ａと接触し、２極同時に投入状態（ＯＮ状態）となる。この時点では、当接部５５、５６はカム面６１１、６２１の途中に位置している。これにより、需要家９３に対し、給電が行われる。
【００５２】
（３）回転角１８０°（ＯＮ：図１０参照）
回転レバー５をさらに右回り方向へ回すと、当接部５５、５６はカム面６１１、６２１に接して進む。投入状態は維持される。これにより、可動接触４、４ａはシフター６によってさらに押され、可動接触４、４ａと固定接触３、３ａの接触がより緊密になる。
そして、回転レバーが１８０°回ると、当接部５５、５６はカム面６１２、６２２に位置する。この位置で、回転レバー５に設けられたストッパによって、回転レバー５に対して逆回転方向へのロックがかかり、この角度位置が給電使用状態となる。この角度位置からは左回りに回転させることができない。  
【００５３】
（４）回転角３３０°（ＯＮ→ＯＦＦ：図１１参照）
使用者の引っ越しなどの理由で給電を停止する場合は、二極給電開閉器Ｓを次のように操作する。
回転レバー５をさらに右回り方向へ回すと、回転レバー５が３３０°回ったところで、カム面６１２、６２２が途切れて、当接部５５、５６はカム面６１２、６２２端部からカム位置６１０、６２０に落ち、当接部５５、５６とカム面６１２、６２２との当接状態が一気に解除される。これにより、可動接触４、４ａ自体とコイルバネ４０の反発力によって、可動接触４、４ａは、所定の大きなストロークで瞬時に固定接触３、３ａと離れ、２極同時に遮断状態（ＯＦＦ状態）となる。これにより、需要家９３に対する給電が停止される。
【００５４】
（５）回転角０°（ＯＦＦ）
回転レバー５を右回り方向へ回し、回転レバー５が０°（回転角３６０°）まで回ったところで回転レバー５が一回転し、前記（１）の状態に戻る。
【００５５】
このように、二極給電開閉器Ｓの各接触の投入、遮断の操作は、回転レバー５を一方向へ回すだけでよく、この操作は操作ステップが少ない単純な操作であるため素早く行うことができる。また、各接触の遮断は、回転レバー５を回す操作速度に影響を受けることなく、前記したように安定した遮断速度で瞬時に行われる。
【００５６】
さらに、二極給電開閉器Ｓは、電力供給の停止、停止解除のために２極（２相）の投入、遮断を行う場合には、２極を同時に開閉させることができる。
これにより、動力回路の負荷電流が流れている状態でも、従来のような１極毎の遮断における誤操作によって欠相状態が生じるリスクを低減することができる、操作性に優れた二極給電開閉器を提供することができる。
【００５７】
二極給電開閉器Ｓが使用される場合の設置状態および手順は次のとおりである。
（Ａ）単相交流三線式にて電力の供給を行う場合において、屋側の雨線内で二極給電開閉器Ｓが使用される場合。（図１２参照）
電力量計Ｗ１へのケーブル８１、８２の接続が完了した後、二極給電開閉器Ｓの回転レバー５の操作を行ない、ロックボルトを雌ネジ具５０に締付け回転レバー５を固定する。
この場合の二極給電開閉器Ｓは、ケーブル８１を湾曲させて立ち上げた状態で、電力量計Ｗ１の近傍に設置する。
【００５８】
（Ｂ）単相交流三線式にて電力の供給を行う場合において、屋側の雨線外で二極給電開閉器Ｓが使用される場合。
この場合、二極給電開閉器Ｓの内部に水（雨水）が浸入しないようにする雨線外カバー８５が装着されている。図１３を参照し、その装着手順を説明する。
（１）電力量計Ｗ１の端子カバー８６外面に、取付金具８７を両面テープ８８にて固着させる。
（２）ケーブル８１、８２の接続が完了し、回転レバー５の操作を行なった二極給電開閉器Ｓに、雨線外カバー８５を装着する。
（３）二極給電開閉器Ｓと一体となった雨線外カバー８５を取付金具８７に装着し、封印ネジ８９により固定して取り付けを完了する。
このように、雨線外カバー８５を装着することによって、雨がかかる屋側であっても二極給電開閉器Ｓ内部に水が浸入することはない。
【００５９】
（Ｃ）三相交流三線式にて電力の供給を行う場合において、屋側の雨線内で二極給電開閉器Ｓが使用される場合。
図１４は二極給電開閉器を組み込んだ電力量計の他の実施形態を示す説明図である。
本実施の形態に係る電力量計Ｗ２は、二極給電開閉器Ｓに加えて一極給電開閉器８４を備えたもので、工場９４等の動力電源が必要な箇所に適用するものである。
【００６０】
例えば動力線の停止を行う場合には、従来のように一線を開放すると中性線欠相状態や電圧不平衡状態になる場合があるため、開放操作手順に注意することが必要である。
本発明の二極給電開閉器は、二線を同時に開放することによって、欠相のリスクを低減し、従来の作業者によるヒューマンエラーを防止することが出来るものである。
本実施の形態の電力量計Ｗ２における一極給電開閉器８４と二極給電開閉器Ｓの設置方法は次のとおりである。
【００６１】
（１）動力線の三線のうち、中性線２Ｌ以外の線である電源側ケーブル１Ｌ（または３Ｌ）に予め一極給電開閉器８４を接続しておく。
（２）本実施の形態の二極給電開閉器Ｓに、動力線の他の二線である中性線２Ｌと、電源側ケーブル３Ｌ（または１Ｌ）、及び負荷側ケーブル８２を前記電力量計Ｗ１の場合と同様に接続する。
【００６２】
また、二極給電開閉器Ｓの操作手順は次のとおりである。
（１）動力線を開放（停止）する場合は、先ず一極給電開閉器８４を開放する。
（２）続いて、二極給電開閉器Ｓの回転レバー５を回転し開放する。
（３）特殊ネジロックであるロックボルトを雌ネジ具５０に専用工具にて装着し、二極給電開閉器Ｓの回転レバー５を容易に操作できないようにロックする。同様に一極給電開閉器８４も操作できないようにロックする。
（４）前記二極給電開閉器Ｓおよび一極給電開閉器８４は、ケーブル８１を湾曲させて立ち上げた状態で、電力量計Ｗ２の近傍に設置する。
【００６３】
（５）次に、動力線の停止を解除（投入）する場合は、先ず、ロックボルトを雌ネジ具５０から専用工具にて外し、ロックボルトによるロックを解除して、二極給電開閉器Ｓの回転レバー５を回転させ、投入する。
（６）続いて、一極給電開閉器８４を投入する。
【００６４】
（７）ロックボルトを雌ネジ具５０に専用工具にて装着し、二極給電開閉器Ｓの回転レバー５を容易に操作できないようにロックする。また、一極給電開閉器８４も操作できないようにロックする。
（８）二極給電開閉器Ｓおよび一極給電開閉器８４は、ケーブル８１を湾曲させて立ち上げた状態で、電力量計Ｗ２の近傍に設置する。
【００６５】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００６６】
【図１】本発明に係る二極給電開閉器の一実施の形態を示す斜視図。
【図２】図１に示す二極給電開閉器の平面図。
【図３】図２におけるＡ−Ａ断面図。
【図４】図２におけるＢ−Ｂ断面図。
【図５】回転レバーを下面側からみた斜視図。
【図６】シフターを上面側からみた斜視図。
【図７】可動接触とシフター及び回転レバーの各当接部の位置関係を示す説明図。
【図８】二極給電開閉器の回転レバーが０°回転位置の各部の動きを示す説明図であり、（ａ）は平面図、（ｂ）は（ａ）におけるＡ−Ａ断面図、（ｃ）はＢ−Ｂ断面図。
【図９】二極給電開閉器の回転レバーが９０°回転位置の各部の動きを示す説明図であり、（ａ）は平面図、（ｂ）は（ａ）におけるＡ−Ａ断面図、（ｃ）はＢ−Ｂ断面図。
【図１０】二極給電開閉器の回転レバーが１８０°回転位置の各部の動きを示す説明図であり、（ａ）は平面図、（ｂ）は（ａ）におけるＡ−Ａ断面図、（ｃ）はＢ−Ｂ断面図。
【図１１】二極給電開閉器の回転レバーが３３０°回転位置の各部の動きを示す説明図であり、（ａ）は平面図、（ｂ）は（ａ）におけるＡ−Ａ断面図、（ｃ）はＢ−Ｂ断面図。
【図１２】二極給電開閉器を組み込んだ電力量計の説明図。
【図１３】二極給電開閉器に対する雨線外カバーの取付状態を示し、（ａ）は要部側面視説明図、（ｂ）は要部正面視説明図。
【図１４】二極給電開閉器を組み込んだ電力量計の他の実施形態を示す説明図。
【符号の説明】
【００６７】
Ｓ  二極給電開閉器
Ｗ１  電力量計
１  外ケース
１１  挿通口
１２  リブ
１３  雌ネジ部
２  内ケース
２０  内ケース本体
２００、２０１  窓部
２１  蓋体
２１０  ネジ孔
２１１  軸筒
２１２  Ｏリング
２１３  溝
２１４  収容孔
２２  ケーブル挿通管
２３  ホルダー部
２３０  留めネジ
２３１  留めネジ
２４  ネジ挿通管
２４１  径大部
２４２  径小部
２４３  コイルバネ
２５  バネ座
２６  ネジ挿通孔
３  固定接触
３ａ  固定接触
３０  縦部
３１  横部
３２  接点
４  可動接触
４ａ  可動接触
４０  コイルバネ
４２  接点
４３  可動接触台部
４３ａ  可動接触台部
４３０  縦部
４３１  横部
５  回転レバー
５０  雌ネジ具
５１  嵌合筒
５２  挿入体
５３  軸管
５４  雌ネジ具
５５  当接部
５６  当接部
５７  凹部
６  シフター
６０  シフター本体
６１  内カム
６１０  カム位置
６１１  カム面
６１２  カム面
６２  外カム
６２０  カム位置
６２１  カム面
６２２  カム面
６３、６４  押圧部
６３０  ストッパー溝
７１、７２、７３、７４  固定用ネジ
８１  電源側ケーブル
８２  負荷側ケーブル
８５  雨線外カバー
８６  端子カバー
８７  取付金具
８８  両面テープ
８９  封印ネジ
９１  配電線
９２  引き込み線
９３  需要家
Ｗ２  電力量計
１Ｌ、３Ｌ  電源側ケーブル
２Ｌ  中性線
８４  一極給電開閉器
９４  工場
【図１】
0005203659.tif 000002
【図２】
0005203659.tif 000003
【図３】
0005203659.tif 000004
【図４】
0005203659.tif 000005
【図５】
0005203659.tif 000006
【図６】
0005203659.tif 000007
【図７】
0005203659.tif 000008
【図８】
0005203659.tif 000009
【図９】
0005203659.tif 000010
【図１０】
0005203659.tif 000011
【図１１】
0005203659.tif 000012
【図１２】
0005203659.tif 000013
【図１３】
0005203659.tif 000014
【図１４】
0005203659.tif 000015